(57)【特許請求の範囲】
【請求項１】
配信データのジャンルを識別する識別情報であるチャネル識別情報がそれぞれ付与された配信データを受信する受信手段と、
受信した前記配信データを記憶する記憶手段と、
受信した前記配信データに付与された前記チャネル識別情報に基づいて、該配信データをチャネル識別情報毎に分類して前記記憶手段に格納する配信データ格納手段と、
複数の前記チャネル識別情報をそれぞれ対応して割付したテンキーと、
前記配信データ格納手段によりチャネル識別情報毎に分類して格納された配信データが前記記憶手段に記憶された状態で、前記テンキーのうちのいずれかのキーが押下された場合には、押下されたキーに対応して割付されているチャネル識別情報が付与された配信データであって、前記記憶手段に記憶された配信データを再生する配信データ再生手段と、
を備えたことを特徴とする無線通信端末。
【請求項２】
前記配信データは、複数のブロックに分割して配信されるデータであって、
前記配信データ格納手段は、前記受信手段により受信した前記配信データを一時記憶する受信バッファを備え、
前記受信手段により前記配信データの受信が開始されると、当該配信データを構成するブロックを前記受信バッファに格納し、当該配信データを構成するブロックが全て受信できると、一の配信データとして前記記憶手段に格納することを特徴とする請求項１に記載の無線通信端末。
【請求項３】
前記配信データは、ブロードキャストサービスによる配信データであって、
前記受信手段は、自端末を含む複数の端末に対して前記ブロック単位で一斉配信される前記配信データを受信することを特徴とする請求項２に記載の無線通信端末。
【請求項４】
受信した配信データを記憶する記憶手段と、テンキーとを備えた無線通信端末における配信データ再生方法であって、
配信データのジャンルを識別する識別情報であるチャネル識別情報が付与された配信データを受信する受信ステップと、
受信した前記配信データに付与された前記チャネル識別情報に基づいて、該配信データをチャネル識別情報毎に分類して前記記憶手段に格納する配信データ格納ステップと、
前記テンキーのそれぞれに複数の前記チャネル識別情報をそれぞれ対応して割付る割付ステップと、
チャネル識別情報毎に分類して格納された配信データが前記記憶手段に記憶された状態で、前記テンキーのうちのいずれかのキーが押下された場合には、押下されたキーに対応して割付されているチャネル識別情報が付与された配信データであって、前記記憶手段に記憶された配信データを再生する配信データ再生ステップと、
を有することを特徴とする配信データ再生方法。
【請求項５】
前記配信データは、複数のブロックに分割して配信されるデータであって、
前記無線通信端末は、前記受信ステップにより受信した前記配信データを一時記憶する受信バッファを備え、
前記配信データ格納ステップは、
前記受信手段により前記配信データの受信が開始されると、当該配信データを構成するブロックを前記受信バッファに格納し、当該配信データを構成するブロックが全て受信できると、一の配信データとして前記記憶手段に格納することを特徴とする請求項４に記載の配信データ再生方法。
【請求項６】
前記配信データは、ブロードキャストサービスによる配信データであって、
前記受信ステップは、自端末を含む複数の端末に対して前記ブロック単位で一斉配信される前記配信データを受信する処理を含むことを特徴とする請求項５に記載の配信データ再生方法。
【発明の詳細な説明】
【技術分野】
【０００１】
本発明は、受信した配信データを容易に再生することができる無線通信端末及び配信データ再生方法に関する。
【背景技術】
【０００２】
近年、無線回線の有効利用の観点から、ＢＣＭＣＳ（Broadcast Multicast Service）と呼ばれる無線上のサービスが提案されている。これはブロードキャストチャネルと呼ばれる通信チャネルの一部を無線通信エリア内の全無線通信端末で利用可能とし、１つの回線を同時に複数の無線通信端末で受信する放送系のサービスである。このサービスを利用することにより、それぞれの無線基地局はエリア内の無線通信端末に向けて共通情報を流すことが可能となる。また、無線通信端末それぞれが個別の回線を確立する必要がないため、ニュースや映画など大容量のデータ配信が可能となり、無線回線の利用効率を向上させることができる。また基地局単位での制御が可能なため、一般的な広域放送サービスとは異なり、より地域に関連した情報の配信が可能となるものである。
【０００３】
ここで、ＢＣＭＣＳのコンテンツ配信手順を簡単に説明する。無線基地局は提供可能なサービス情報を報知情報として自己の無線通信エリア内の全無線通信端末へと報知する。無線通信端末はこの情報を受信し、受信を希望するサービスを特定する識別情報を、無線基地局に対して登録動作を行うことで受信を開始することができる。無線基地局は、無線通信端末からの登録情報を受信し、無線通信端末において受信を希望するサービスが現時点で提供されていない場合はサービス提供（情報コンテンツの提供）を開始する。また、ＢＣＭＣＳは、無線資源の有効利用の観点から、利用者がいない場合は、情報コンテンツの提供を停止し、ＢＣＭＣＳとして利用していた無線資源を開放し、その部分を一般チャネルで再利用することを行っている。
なお、ブロードキャスト／マルチキャストサービスによるデータ配信については、例えば特許文献１等に記載されている。
【特許文献１】特表２００５−５２４３６７号公報
【発明の開示】
【発明が解決しようとする課題】
【０００４】
従来のＢＣＭＣＳ配信等による配信データは、多様なコンテンツを配信することが可能である。しかしながら、配信されたデータを受信した無線通信端末は、受信した配信データを受信した順に端末内部に格納する構成であったため、ユーザは、所望のコンテンツを再生しようとする場合、画面上のコンテンツリストを参照しながら再生するコンテンツを選択しながら再生実行の指示操作を行わなければならず、ユーザの操作が煩雑になるという問題がある。
【０００５】
本発明は、このような事情に鑑みてなされたもので、受信した配信データの中から所望の配信データを簡単な操作により再生することができる無線通信端末及び配信データ再生方法を提供することを目的とする。
【課題を解決するための手段】
【０００６】
本発明に係る無線通信端末は、配信データのジャンルを識別する識別情報であるチャネル識別情報がそれぞれ付与された配信データを受信する受信手段と、受信した前記配信データを記憶する記憶手段と、受信した前記配信データに付与された前記チャネル識別情報に基づいて、該配信データをチャネル識別情報毎に分類して前記記憶手段に格納する配信データ格納手段と、複数の前記チャネル識別情報をそれぞれ対応して割付したテンキーと、前記配信データ格納手段によりチャネル識別情報毎に分類して格納された配信データが前記記憶手段に記憶された状態で、前記テンキーのうちのいずれかのキーが押下された場合には、押下されたキーに対応して割付されているチャネル識別情報が付与された配信データであって、前記記憶手段に記憶された配信データを再生する配信データ再生手段と、を備えたことを特徴とする。
【０００７】
本発明は、前記配信データは、複数のブロックに分割して配信されるデータであって、
前記配信データ格納手段は、前記受信手段により受信した前記配信データを一時記憶する受信バッファを備え、前記受信手段により前記配信データの受信が開始されると、当該配信データを構成するブロックを前記受信バッファに格納し、当該配信データを構成するブロックが全て受信できると、一の配信データとして前記記憶手段に格納することを特徴とする。
【０００８】
本発明は、前記配信データは、ブロードキャストサービスによる配信データであって、
前記受信手段は、自端末を含む複数の端末に対して前記ブロック単位で一斉配信される前記配信データを受信することを特徴とする。
【０００９】
本発明に係る配信データ再生方法は、受信した配信データを記憶する記憶手段と、テンキーとを備えた無線通信端末における配信データ再生方法であって、配信データのジャンルを識別する識別情報であるチャネル識別情報が付与された配信データを受信する受信ステップと、受信した前記配信データに付与された前記チャネル識別情報に基づいて、該配信データをチャネル識別情報毎に分類して前記記憶手段に格納する配信データ格納ステップと、前記テンキーのそれぞれに複数の前記チャネル識別情報をそれぞれ対応して割付る割付ステップと、チャネル識別情報毎に分類して格納された配信データが前記記憶手段に記憶された状態で、前記テンキーのうちのいずれかのキーが押下された場合には、押下されたキーに対応して割付されているチャネル識別情報が付与された配信データであって、前記記憶手段に記憶された配信データを再生する配信データ再生ステップと、を有することを特徴とする。
【００１０】
本発明は、前記配信データは、複数のブロックに分割して配信されるデータであって、前記無線通信端末は、前記受信ステップにより受信した前記配信データを一時記憶する受信バッファを備え、前記配信データ格納ステップは、前記受信手段により前記配信データの受信が開始されると、当該配信データを構成するブロックを前記受信バッファに格納し、当該配信データを構成するブロックが全て受信できると、一の配信データとして前記記憶手段に格納することを特徴とする。
【００１１】
本発明は、前記配信データは、ブロードキャストサービスによる配信データであって、前記受信ステップは、自端末を含む複数の端末に対して前記ブロック単位で一斉配信される前記配信データを受信する処理を含むことを特徴とする。
【発明の効果】
【００１２】
本発明によれば、受信した配信データに付与されたチャネル識別情報に基づいて配信データが属するチャネル毎に、受信した配信データを分類して記憶しておき、各チャネル毎に割り付けられた操作キーを押下した場合に、操作キーに割付けられているチャネルの配信データを読み出して、再生するようにしたため、所望の配信データを簡単な操作により再生することが可能になるという効果が得られる。
【発明を実施するための最良の形態】
【００１３】
以下、本発明の一実施形態による無線通信端末を図面を参照して説明する。図１は同実施形態の構成を示すブロック図である。この図において、符号１は、無線通信端末の処理動作を統括して制御する制御部である。符号２は、ダイヤルキー、ファンクションキー等が配列されたキーパネルから構成する入力部である。符号３は、液晶のディスプレイ装置等から構成する表示部であり、再生された配信データの表示等に用いる。符号６は、基地局との間で無線通信を確立し、電話機能や情報通信を実現する無線通信部である。符号５は、無線通信部４が確立した通信回線を使用して、音声通話を行う音声処理部であり、話者の音声を集音するマイク６と、通話相手の音声を発音するスピーカ７が接続される。符号８は、基地局から配信される配信データをチャネル別に分類して記憶する記憶部である。記憶部８は、１チャネル〜１２チャネルの１２チャネル分の配信データ格納領域が予め用意されている。符号９は、無線通信部４が確立した通信回線を介して、基地局から受信した配信データをチャネル別に分類して記憶部８へ格納するデータ格納部である。符号１０は、入力部２を操作することにより選択されたチャネルの配信データを記憶部８から読み出して再生を行うデータ再生部である。符号１１は、着信音やコンテンツデータの楽音を発音させるスピーカである。
【００１４】
なお、入力部２のダイヤルキー「１」〜「９」には、それぞれ１ｃｈ（チャネル）〜９ｃｈの配信データ再生を実行するショートカットキーが割り付けられ、ダイヤルキー「０」、「＊」、「＃」には、それぞれ１０ｃｈ、１１ｃｈ、１２ｃｈの配信データ再生を実行するショートカットキーが割り付けられている。
【００１５】
ここで、基地局からＢＣＭＣＳ配信される配信データであるコンテンツの構成を説明する。配信されるコンテンツデータは、コンテンツを一意に識別可能なコンテンツＩＤが付与されている。コンテンツＩＤは、チャネルを識別するチャネル識別情報と、番組を識別する番組識別情報とからなる。またコンテンツを複数のパケットに分割して配信する場合、各パケットには、パケットを識別するパケット情報が付与される。したがって、コンテンツを複数のパケットに分割した場合のコンテンツパケットは、チャネル識別番号と番組識別情報と、パケット情報の組み合わせによって一意に識別可能である。
【００１６】
なお、ここでいうチャネル識別情報とは、コンテンツの配信元を識別する識別情報や配信コンテンツのジャンルを識別する識別情報に相当する。また、番組識別情報とは、コンテンツの内容（ニュース、天気予報、映画、ドラマ等の番組内容）を識別できる情報である。ここでは、チャネル識別情報が「１ｃｈ」であり、番組識別情報が「１」であり、パケット情報が「ａ」である場合のパケット識別名を「１−１−ａ」と表記する。また、チャネル識別情報が「１ｃｈ」であり、番組識別情報が「１」である複数のパケットを結合することにより復元されたコンテンツの識別名を「１−１」と表記する。
【００１７】
次に、図２を参照して、図１に示す無線通信端末において配信データ（コンテンツ）を受信して、受信した配信データを記憶部８へ格納する動作を説明する。
まず、無線基地局はＢＣＭＣＳ配信により提供可能な配信データに関する情報を報知情報として自己の無線通信エリア内の全無線通信端末へと報知する。無線通信端末はこの情報を受信し、受信を希望するサービスを特定する識別情報を、無線基地局に対して登録動作を行うことで受信を開始することができる。コンテンツデータの配信が開始されると、データ格納部９は、無線通信部４を介して、配信コンテンツデータを複数に分割したコンテンツパケットを受信する（ステップＳ１）。そして、データ格納部９は、受信したコンテンツパケットのパケット識別名に基づいて、コンテンツＩＤを特定する（ステップＳ２）。続いて、データ格納部９は、受信したコンテンツパケットを特定したコンテンツＩＤ毎に分類して内部に保持する（ステップＳ３）。これにより、チャネル毎に、かつ番組毎に分類されてコンテンツパケットがデータ格納部９内部に一時保持されることになる。
【００１８】
次に、データ格納部９は、内部に一時保持されているコンテンツパケットの受信状況を確認し（ステップＳ４）、コンテンツＩＤが一致するコンテンツパケットが全て揃ったか否かを判定する（ステップＳ５）。この判定は、受信したコンテンツパケットに最後のパケットであることを示す情報が含まれていたか否かに基づいて行う。この判定の結果、コンテンツパケットが全て揃っていなければ、データ格納部９は、ステップＳ１へ戻り、コンテンツパケットの受信動作を続行する。一方、コンテンツＩＤが一致するコンテンツパケットが全て揃った場合、データ格納部９は、コンテンツＩＤが一致するコンテンツパケットをパケット情報に基づいて順に結合することによりコンテンツデータを復元する（ステップＳ６）。そして、データ格納部９は、復元したコンテンツのコンテンツＩＤのチャネル識別情報と一致する記憶部８の配信データ格納領域へ復元したコンテンツデータを格納する（ステップＳ７）。
【００１９】
次に、図３を参照して、具体例を挙げて図２に示す動作を説明する。図３は、図１に示すデータ格納部９の詳細な構成を示す図である。データ格納部９は、コンテンツパケットを受信し（ステップＳ１）、受信したコンテンツパケットのパケット識別名に基づいて、コンテンツＩＤを特定すると、コンテンツＩＤとして「１−１」が得られることになる（ステップＳ２）。データ格納部９は、受信したコンテンツパケットのコンテンツＩＤが「１−１」であるコンテンツパケットを受信バッファ９１に一時保持する（ステップＳ３）。これにより、受信バッファ９１には、コンテンツＩＤが「１−１」であるコンテンツパケットのみが保持されることになる。そして、受信したコンテンツパケットに最後のパケットであることを示す情報が含まれているコンテンツパケットを受信した時点で（ステップＳ４、Ｓ５）、受信バッファ９１に保持されているコンテンツパケットＰ１、Ｐ２、Ｐ３、Ｐ４をワークエリア９２へ移動する。
【００２０】
このときデータ格納部９は、各コンテンツパケットに付与されているパケット情報（ここでは、ａ、ｂ、ｃ、ｄ）に基づいて４つのコンテンツパケットＰ１、Ｐ２、Ｐ３、Ｐ４を順に結合する。これにより、ワークエリア９２には、パケット識別名が「１−１−ａ」、「１−１−ｂ」、「１−１−ｃ」及び「１−１−ｄ」であるコンテンツパケットが結合された復元コンテンツデータＣが保持されることになる（ステップＳ６）。そして、データ格納部９は、復元されたコンテンツデータＣのコンテンツＩＤのチャネル識別情報と一致する記憶部８の配信データ格納領域へ復元したコンテンツデータを格納する。コンテンツＩＤのチャネル識別情報は「１」であるため、記憶部８の「１ｃｈ」の配信データ格納領域にコンテンツデータＣが格納されることになる（ステップＳ７）。この動作により、記憶部８は、配信されたデータに付与されているチャネル識別情報毎の配信コンテンツデータが分類されて記憶されることになる。
【００２１】
なお、記憶部８の各チャネル毎の配信データ格納領域は、記憶するデータ量の上限値を予め決めておき、配信データを格納しようとしたときに、記憶するデータ量の上限値を超える場合、データ格納部９は、受信した日時が古い配信データを記憶部８上から削除し、新たに受信した配信データが記憶部８上に必ず格納されている状態を保つようにする。
【００２２】
次に、図４を参照して、図１に示す無線通信端末において記憶部８に格納されている配信データ（コンテンツ）を再生する動作を説明する。
まず、ユーザは、入力部２を操作して、配信コンテンツデータの再生を行うモードに切り替え、所望チャネルの配信データ再生に対応するダイヤルキー（１〜９、０、＊及び＃のいずれか）を押下する。制御部１は、入力部２の操作内容を読み取り（ステップＳ１１）、操作内容が配信コンテンツデータの再生であるか否かを判定し（ステップＳ１２）、配信コンテンツデータの再生を行う操作である場合、押下されたダイヤルキーがいずれであるかを特定する。そして、制御部１は、押下されたダイヤルキーに割り付けられているチャネル識別情報を特定する。
【００２３】
次に、制御部１は、特定したチャネル識別情報とコンテンツデータ再生の指示をデータ再生部１０に対して出力する。これを受けて、データ再生部１０は、制御部１から出力されたチャネル識別情報に基づいて、再生するべきコンテンツデータを記憶部８から読み出す（ステップＳ１３）。例えば、チャネル識別情報が「１」であれば、「１ｃｈ」の配信データ格納領域に格納されているコンテンツデータを読み出す。
【００２４】
次に、データ再生部１０は、読み出したコンテンツデータを再生する（ステップＳ１４）。これにより、配信コンテンツデータが再生されることととなり、文字情報や画像情報は表示部３に表示され、音声はスピーカ１１から発音することになる。
【００２５】
このように、受信した配信データに付与されたチャネル識別情報に基づいて配信データが属するチャネル毎に、受信した配信データを分類して記憶しておき、各チャネル毎に割り付けられた操作キーを押下した場合に、操作キーに割付けられているチャネルの配信データを読み出して、再生するようにしたため、所望の配信データを簡単な操作により再生することが可能になる。特に、チャネルと操作キーを一対に結びつけたため、テレビのリモコンの操作感覚で配信データの再生を行うことが可能となる。
【００２６】
なお、配信されるコンテンツデータは、複数のブロックに分割されているデータであってもよい。例えば、映画のコンテンツである場合、「前編」、「後編」、「出演者情報」というようにコンテンツの内容に応じた３つのブロックに分割し、それぞれブロック毎に配信する。データ格納部９は、各ブロックのそれぞれを複数のパケットに分割したコンテンツパケットを受信バッファ９１に一時記憶し、１つのブロックを構成するコンテンツパケット全てが受信できた時点で、ワークエリア９２において１つのブロック構成するパケットを結合することにより１つのブロックを復元する。そして、復元されたブロックをワークエリア９２内に保持しておき、全てのブロックがワークエリア９２内において復元された時点で、ワークエリア９２内に保持している各ブロックを１つのコンテンツデータとして、記憶部８へ格納する。このようにすることにより、映画のコンテンツのように、データサイズが大きいデータの場合、全てのパケットが受信バッファ９１に揃うまでには、配信データを受信する通信回線に応じた受信時間を必要とするが、複数のブロックに分けて配信すれば１つのブロックを構成するパケットが全て揃った時点で、配信データの受信動作と並行してパケットの結合処理を行うことが可能となり、コンテンツデータの復元処理を高速化することが可能となる。
【００２７】
また、本発明の無線通信端末は、移動通信を使用した携帯電話機や移動通信機能を有した携帯情報端末（ＰＤＡ）、モバイル端末、カーナビ装置などを含むものである。
【００２８】
なお、図１における処理部の機能を実現するためのプログラムをコンピュータ読み取り可能な記録媒体に記録して、この記録媒体に記録されたプログラムをコンピュータシステムに読み込ませ、実行することにより配信データの受信処理及び再生処理を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００２９】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００３０】
【図１】本発明の一実施形態の構成を示すブロック図である。
【図２】図１に示す無線通信端末における配信データ受信の動作を示すフローチャートである。
【図３】図１に示すデータ格納部９の処理動作を示す説明図である。
【図４】図１に示す無線通信端末における配信データ再生の動作を示すフローチャートである。
【符号の説明】
【００３１】
１・・・制御部、２・・・入力部、３・・・表示部、４・・・無線通信部、５・・・音声処理部、６・・・マイク、７・・・スピーカ、８・・・記憶部、９・・・データ格納部、１０・・・データ再生部、１１・・・スピーカ
【図１】
0004823661.tif 000002
【図２】
0004823661.tif 000003
【図３】
0004823661.tif 000004
【図４】
0004823661.tif 000005